(57)【要約】【課題】各住戸のプライバシーと独立性を確保でき、居住性と安全性が高く、かつ住戸ごとの建て替えや増築が近隣住戸に支障を及ぼすことなく可能で、将来に渡って継続して住み続けられるようにした集合住宅を提供する。【解決手段】複数の低層の住戸１，１を互いに隣接させて配置する。当該各住戸１，１間に区画構造体６と空域部５を平面上住戸１，１の奥行き方向に隣接して配置する。各住戸１，１と区画構造体６との間に隙間７を設ける。各住戸１と区画構造体６をエキスパンションジョインによって接続する。【選択図】図２
2007321495.tif 000002
【特許請求の範囲】
【請求項１】
特定の空間領域内に複数の住戸を互いに隣接させて配置し、当該各住戸間に区画構造体と空域部を平面上前記住戸の奥行き方向に隣接して配置し、前記各住戸と前記区画構造体をエキスパンションジョイントによって接続してなることを特徴とする集合住宅。
【請求項２】
特定の空間領域内に複数の住戸を互いに隣接させて配置し、当該各住戸間の下側に区画構造体を、当該区画構造体の上側に空域部をそれぞれ配置し、前記各住戸と前記区画構造体をエキスパンションジョイントによって接続してなることを特徴とする集合住宅。
【請求項３】
前記住戸は木質系、鉄骨系、補強ブロック系またはＲＣ系の住戸であることを特徴とする請求項１または２記載の集合住宅。
【請求項４】
前記区画構造体はＲＣ構造の壁体もしくは構造体が軸組構造の壁体であることを特徴とする請求項１〜３のいずれかに記載の集合住宅。
【発明の詳細な説明】
【技術分野】
【０００１】
本発明は長屋風の集合住宅に関し、いわゆるマンション等の共同住宅と戸建住宅がそれぞれ備えた両方のメリットを有し、特に各住戸間のプライバシーと独立性が高く、かつ住戸ごとの建て替えや増築を近隣住戸に支障を与えずに行うことができ、将来に渡って継続して住み続けられるようにしたものである。
【背景技術】
【０００２】
一般に、マンション等の共同住宅は敷地全体にセキュリティをかけることができ、また駐車場や中庭、植栽などは共用部分として広いスペースを確保することができるため、戸建住宅や長屋住宅よりも安全でゆとりのある居住環境を提供することができる。
【０００３】
しかし、各住戸どうしが共通の壁や床・天井を介して接しているため、プライバシーや独立性を確保することが難しく、生活騒音などのトラブルが発生しやすい。また、少なくとも二面は隣接住戸に接していることから、窓のない部屋ができやすく、開放された採光可能な居住空間を確保しにくい。
【０００４】
さらに、住戸ごとの建て替えや増築はほぼ不可能であり、このため、家族構成やライフスタイルの変化、さらには建物の老朽化などにより建て替えが必要な場合、建物全体の建て替えを強いられる。
【０００５】
一方、戸建住宅は住戸ごとに独立しているためプライバシーや独立性が高く、生活騒音などの問題は発生しにくい。また、窓などの開口部を必要に応じて設けることが可能なため、明るく開放的な居住空間も容易に確保することができる。さらに、建て替えや増築なども隣接住戸に支障を及ぼすことなく、住戸ごと自由に行うことができる。
【０００６】
しかし、多くの戸建住宅は限られた敷地内に敷地境界線に近接して建てられているため、不審者が侵入しやすく安全な居住環境を確保しにくい。またそのためのセキュリティ対策は住戸ごとに行う必要がある。
【０００７】
さらに、各住戸の周囲のわずかなスペースに駐車場や庭などを確保せざるを得ないため、いずれも充分なスペースを確保しにくく、ゆとりのある快適な居住環境が望めない。
【０００８】
ところで近年、特定の空間領域内に複数の住戸を長屋風に配置し、その周囲に共用の中庭や駐車場を配置して一つのコミュニティの集合体を構成することにより、各住戸間の独立性とプライバシーを確保しつつ、安全でゆとりのある居住環境を作り出すようなプランが注目されている。
【０００９】
【特許文献１】特開平１１−２００６４７号公報
【特許文献２】特開平９−１７０２４１号公報
【特許文献３】特開平９−３０２２９５７号公報
【特許文献４】実開平３−１２０７５１号公報
【発明の開示】
【発明が解決しようとする課題】
【００１０】
しかし、限られた一つの敷地内に複数の住戸を単に長屋風に連ねて配置しただけでは、防火やプライバシー等の問題があり、特に木造住宅の場合、防音性や防火性に劣るため問題がある。
【００１１】
本発明は、以上の課題を解決するためになされたもので、特に各住戸間の独立性とプライバシーを確保でき、かつ居住性と安全性にすぐれ、しかも住戸ごとの建て替えや増築が可能で将来に渡って継続して住み続けられるようにした集合住宅を提供することを目的とする。
【課題を解決するための手段】
【００１２】
請求項１記載の集合住宅は、特定の空間領域内に複数の住戸を互いに隣接させて配置し、当該各住戸間に区画構造体と空域部を平面上前記住戸の奥行き方向に隣接して配置し、前記各住戸と前記区画構造体をエキスパンションジョイントによって接続してなることを特徴とするものである。
【００１３】
本発明は、特定の空間領域内に複数の住戸を互いに隣接して配置することにより長屋風に連続した一つの集合体を構築する際に、隣接する各住戸間に区画構造体を配置することで、隣接する住戸間の生活騒音や視線を遮断して各住戸間のプライバシーと独立性を確保するとともに、火災時の延焼等を防止できるようにしたものである。
【００１４】
また、各住戸間に一定幅の空域部を設けることで、住戸どうしが互いに近接した状態で配置されていても、各住戸の対向する側にも必要な窓や出入り口などの開口部を設けられるようにして、各住戸に明るく開放的な居住空間も容易に確保することができる。
【００１５】
さらに、マッション等の共同住宅では不可能な各住戸の増改築を、近隣住戸に何らの支障を及ぼすことなく住戸ごと自由に行えるようにして将来の家族構成やライフスタイルの変化に自由に対応できるようにしたものである。
【００１６】
その際、各住戸と区画構造体がエキスパンションジョイントによって接続されていることで、近隣住戸および区画構造体に何ら支障をきたすことなく住戸の建てかえ等を行うことができる。
【００１７】
この場合のエキスパンションジョイントは、区画構造体と住戸との間に一定の隙間を設け、その外周部にジョイントカバーを取り付けた構造にしてあれば、区画構造体を取り壊さないで住戸の増改築を行うことができる。なお、ジョイントカバーには地震時の揺れに追従可能なように伸縮自在な蛇腹状に形成されたものがよい。
【００１８】
また、各住戸間の区画構造体は、各住戸間の生活騒音を遮断し、かつ火災時の延焼を防止することを考慮すると、ＲＣ構造や補強ブロック構造、鉄骨構造などの不燃構造の軸組にプレキャストコンクリート板などからなる遮蔽板を取り付けた構造のもの、さらには表面に防火処理を施した間伐材を複数互いに密着させて建て付け壁状に形成したもの等が考えられる。
【００１９】
各住戸は将来的に増改築を予定していることから、在来の木造軸組構造や枠組壁構造などの木質系、主要部を軽量鉄骨や重量鉄骨構造とした鉄骨系、補強ブロック構造、さらに後の取り壊しを考慮した構造にしてあれば、ＲＣ構造などの非木質系の構造によって構築されていてもよい。
【００２０】
また、各住戸の階数、平面および立面の形態、さらには各住戸の配置形態は特に限定されるものではなく、間取りや周辺の環境に合わせて自由な形態とすることができ、用途地域にもよるが二階建てないし三階建ての低層住宅が望ましい。
【００２１】
さらに、住戸数が相当な戸数になるときは、複数のユニットに区画し、複数のコミュニティの集合体とすることで、総住戸数に関わらず安全な生活環境を容易に確保することができる。
また、敷地の周囲に主にセキュリティを目的とした境界構造物を設置することで、集合住宅全体に対してマンションに近いセキュリティを確保できるようにしたものである。この場合の境界構造物としては、フェンスや塀などの工作物の他、防犯カメラ等を設置することができる。また、中庭や植栽、駐車場などを共用スペースとして配置することで、これらのスペースを広く確保して通常の戸建住宅では望めない広いゆとりのある居住環境を確保することができる。
【００２２】
請求項２記載の集合住宅は、特定の空間領域内に複数の住戸を互いに隣接させて配置し、当該各住戸間の下側に区画構造体を、当該区画構造体の上側に空域部をそれぞれ配置し、前記各住戸と前記区画構造体をエキスパンションジョイントによって接続してなることを特徴とするものである。
【００２３】
本発明は、特に住戸の二階部分ないし三階部分にルーフバルコニーを設ける場合に適している。この場合、住戸の一部を突出させて住戸突出部とし、その屋上部分をルーフバルコニーとすることができる。また、空域部も住戸突出部の周囲に容易に確保することができる。
【００２４】
請求項３記載の集合住宅は、請求項１または２記載の集合住宅において、前記住戸は木質系、鉄骨系、補強ブロック系またはＲＣ系の構造によって構築してあることを特徴とするものである。
【００２５】
本発明は特に、住戸部分は将来的に増改築を予定していることから、在来の木造軸組工法や枠組壁工法などの木質系、あるいは主要部に軽量鉄骨を用いた構築工法などによって構築してあれば、取り壊しが容易で住戸の増改築をスムーズに行うことができる。
【発明の効果】
【００２６】
本発明は、特定の空間領域内に複数の住戸を互いに隣接させて配置して長屋風に連続した一体の集合体を構築する際に、隣接する各住戸間に区画構造体を配置したことで、隣接する住戸間の生活騒音や視線を遮断して各住戸のプライバシーと独立性を確保することができ、しかも火災時の延焼等も防止することができる。
【００２７】
また、各住戸間に一定幅の空域部が設けられていることで、住戸どうしが互いに近接した状態で配置されていても、各住戸の対向する側にも必要な窓や出入り口などの開口部を設けることができるため、各住戸のすべての面に明るく開放的な居住空間を提供することができる。
【００２８】
また、各住戸と区画構造体はエキスパンションジョイントによって接続されているため、マンション等の共同住宅では不可能な各住戸の増改築を近隣住戸に何らの支障を及ぼすことなく自由に行うことができ、将来の家族構成やライフスタイルの変化に対応しながら半永久的に住み続けることができる。
【００２９】
また、中庭や植栽、駐車場などを共用スペースとして配置することにより、これらのスペースを広く確保することが可能なため、通常の戸建住宅では到底望めない広いゆとりのある居住環境を確保することができる。さらに、敷地全体に対してセキュリティ対策を講ずることで防犯上安全な居住環境を容易に提供することもできる。
【発明を実施するための最良の形態】
【００３０】
図１〜図７は、本発明の一例を示し、図において、整地された一つの敷地内に複数の住戸１が公道２と接する敷地境界線を除く三方の敷地境界線に沿って平面ほぼコの字状に配置され、長屋風の集合住宅を構成している。
【００３１】
また、敷地のほぼ中央に敷地内通路３が公道２から各住戸１の戸口に向かって配置され、当該敷地内通路３は共用の中庭を兼ねている。さらに、公道２と接する側に共用の駐車場４が配置され、また各住戸１および駐車場４の周囲と通路３内には敷地全体の緑化を図るべく必要な植栽がなされている。
【００３２】
そして、敷地の周囲には敷地境界線に沿ってフェンスや塀、防犯カメラなど（図省略）を配置することにより、敷地全体に対して必要なセキュリティ対策が講じられている。
【００３３】
各住戸１は木造により２階建てないし３階建ての低層に構築され、当該各住戸１，１間には所定幅、所定奥行きを有する空域部５と区画構造体６がそれぞれ設けられ、かつ各区画構造体６と隣接する各住戸１，１間に所定幅の隙間７が設けられている。
【００３４】
空域部５は、隣接する住戸１，１の対向する側に外壁を確保して窓や出入り口などの開口部を設けられるようにするためのもので、当該空域部５は住戸１，１の外壁の一部を少し後退させて配置することにより６０ｃｍから１ｍ程度の幅に設けられている。
【００３５】
区画構造体６は、隣接する住戸１，１間の騒音や視線などを遮断して各住戸１，１間のプライバシーと独立性を確保するとともに、火災時の延焼などを未然に防ぐ目的で設けられており、ＲＣ構造や補強ブロック構造などにより自立した構造体として構築されている。
【００３６】
なお、住戸１と区画構造体６の施工に際しては、最初に区画構造体６を構築し、その後当該区画構造体６の両側に住戸１，１をそれぞれ構築するが、その際、各住戸１，１の区画構造体６と対向する側の外壁は、区画構造体６にかなり近接して配置されるため屋外側からの外装仕上げは困難である。
【００３７】
この点に関しては、外壁は施工済みの床の上で軸組を組み立て、当該軸組に外装材を取り付けて仕上げまで完了し、これを土台または梁の上に建て付けることにより軸組の建て込みと外装仕上げを同時に行う、いわゆる建て起こし工法などを利用することができる。
【００３８】
具体例として、奥行き１０ｍ程度で建築面積１００ｍ２程度の住戸を考慮した場合、一回の作業で建て起こす壁の長さは、人力による建て起こしのことも考慮すると、５ｍ程度が望ましい。本発明では区画構造体６より先の部分は、空域部５になっているため、区画構造体６の長さを住戸１の奥行き方向の１／２程度(５ｍ程度)とすれば、人力による１回の建て起こしが可能である。これより先の空域部５は、外壁施工用の作業用スペースにもなるため、屋外側から外壁の施工が可能である。
【００３９】
例えば、図２(ａ)，(ｂ)に図示する例の場合、隣接住戸１，１間の通路３側に空域部５、当該空域部５の先端側に区画構造体６がそれぞれ住戸１の奥行き方向のほぼ１／２の範囲に互いに隣り合って配置されている。また、区画構造体６と各住戸１，１間に一定の隙間７がそれぞれ設けられている。
【００４０】
なお、一般にかなり長い外壁を建て起こし工法で施工するときは、外壁を複数に分割して行うが、建て起こした後の隣接する外壁間の接合と防水処理が必要なことを考慮すると、外壁間の接続部は手の届く範囲に設けるのが望ましい。
【００４１】
空域部５と区画構造体６は共に地上から屋上まで連続し、空域部５に面する住戸１の一階部分と二階部分には窓８がそれぞれ設けられている。
【００４２】
また、区画構造体６および隙間７の外周には、当該区画構造体６および隙間７，７が外部に露出しないようにジョイントカバー９が取り付けられ、ジョイントカバー９には伸縮可能な蛇腹状に形成されたものが用いられ、エキスパンションジョイントを形成している。
【００４３】
図３(ａ)、(ｂ)に図示する例においては、図２(ａ)，(ｂ)の例においてさらに、区画構造体６が空域部５まで延長して設けられている。この場合、区画構造体６の延長部分６ａの反対側にも空域部５が設けられている。空域部５は区画構造体６の延長部分６ａと対向する住戸１の外壁を施工するための作業用スペースとしても利用される。
【００４４】
図４(ａ)，(ｂ)に示す例においては、隣接する住戸１，１の一方に、平屋の住戸突出部１ａが通路３側から住戸１の奥行き方向に住戸１のほぼ１／２の長さ(奥行き)を有して設けられている。
【００４５】
また、隣接する住戸１，１間の住戸突出部１ａと重なる位置に、区画構造体６が住戸突出部１ａと同じ長さを有して設けられ、当該区画構造体６より先端側の位置に空域部５が設けられている。
【００４６】
さらに、図５(ａ)，(ｂ)の例においては、区画構造体６は空域部５まで延長して設けられ、当該延長部分６ａの反対側に空域部５と同様の空域部５が設けられている。
【００４７】
図４および図５の例において、住戸突出部１ａは住戸１の一部分であり、当該住戸突出部１ａの屋上部分はルーフバルコニーになっている。
【００４８】
図６(ａ)，(ｂ)の例においては、図５の例と同様に、隣接する住戸１，１の一方に平屋の住戸突出部１ａが通路３側から住戸１の奥行き方向のほぼ１／２の長さ(奥行き)を有して設けられ、当該住戸突出部１ａの屋上部分が住戸１，１間の空域部５と住戸１のルーフバルコニーになっている。
【００４９】
区画構造体６は、隣接する住戸１，１間のルーフバルコニー部分を除いた一階部分と二階部分の全体を覆うように設けられている。
【００５０】
いずれの例においても、区画構造体６とその両側の住戸１，１は、伸縮自在な蛇腹状のジョイントカバー９によって接続され、エキスパンションジョイントを形成している。
【図面の簡単な説明】
【００５１】
【図１】集合住宅の一例を示す平面図である。
【図２】図１の集合住宅における区画構造体と隣接する住戸の位置関係を示し、(ａ)はその一部斜視図、(ｂ)は一部平面図である。
【図３】図１の集合住宅における区画構造体と隣接する住戸の位置関係を示し、(ａ)はその一部斜視図、(ｂ)は一部平面図である。
【図４】図１の集合住宅における区画構造体と隣接する住戸の位置関係を示し、(ａ)はその一部斜視図、(ｂ)は一部平面図である。
【図５】図１の集合住宅における区画構造体と隣接する住戸の位置関係を示し、(ａ)はその一部斜視図、(ｂ)は一部平面図である。
【図６】図１の集合住宅における区画構造体と隣接する住戸の位置関係を示し、(ａ)はその一部斜視図、(ｂ)は一部平面図である。
【図７】図１の集合住宅における区画構造体と隣接する住戸の位置関係を示し、(ａ)は図１におけるイ−イ線断面図、(ｂ)は図１におけるロ−ロ線断面図である。
【符号の説明】
【００５２】
１  住戸
２  公道
３  敷地内通路
４  駐車場
５  空域部
６  区画構造体
７  隙間
８  窓
９  ジョイントカバー
【図１】
2007321495.tif 000003
【図２】
2007321495.tif 000004
【図３】
2007321495.tif 000005
【図４】
2007321495.tif 000006
【図５】
2007321495.tif 000007
【図６】
2007321495.tif 000008
【図７】
2007321495.tif 000009